(57)【要約】      （修正有）【課題】紙幣収納カセットの入れ違いを検出することができる紙幣処理ユニットを提供する。【解決手段】紙幣処理ユニット１は、紙幣収納カセット４１、４２、５を着脱自在に形成された収納空間を複数設けている。複数の収納空間毎に対応付けられたカセット関連情報を記憶する記憶部２１と、収納空間毎に紙幣収納カセット４１、４２が着脱されたことを検出するカセット検出部２３と、カセット検出部２３によって紙幣収納カセット４１、４２が収納空間に装着されたことを検出した場合、紙幣収納カセット４１、４２のカセット情報を取得する取得部２４と、カセット情報とカセット関連情報とを照合して適正であるか否かを判定する判定部２５と、カセット情報とカセット関連情報とが適正でないと判定された場合、通知を行う通知部２６と、を備える。【選択図】図１
2019139635.tif 000002
【特許請求の範囲】
【請求項１】
紙幣収納カセットを着脱自在に形成した収納空間が複数設けられた紙幣処理ユニットにおいて、
前記複数の収納空間毎に対応付けられたカセット関連情報を記憶する記憶部と、
前記収納空間毎に前記紙幣収納カセットが着脱されたことを検出する検出部と、
前記検出部によって前記紙幣収納カセットが前記収納空間に装着されたことを検出した場合、当該収納空間に装着された前記紙幣収納カセットが有するカセット情報を前記紙幣収納カセットから取得する取得部と、
前記収納空間に装着された前記紙幣収納カセットの前記カセット情報と、当該収納空間に対応付けられたカセット関連情報とを照合して適正であるか否かを判定する判定部と、
前記判定部によって前記収納空間に装着された前記紙幣収納カセットの前記カセット情報と当該収納空間に対応付けられたカセット関連情報とが適正でないと判定された場合、通知を行う通知部と、
を備える、
紙幣処理ユニット。
【請求項２】
前記検出部によって前記紙幣収納カセットの着脱が検出される毎に、着脱された当該紙幣収納カセットの前記カセット情報と、当該紙幣収納カセットが着脱された日時とを記憶するログ記憶部をさらに備える、
請求項１に記載の紙幣処理ユニット。
【請求項３】
前記判定部は、前記複数の収納空間のうち１つの収納空間に装着された前記紙幣収納カセットの前記カセット情報と、前記１つの収納空間に対応付けられたカセット関連情報とが適正でないと判定した場合、前記１つの収納空間とは別の収納空間に対応付けられたカセット関連情報と前記１つの収納空間に装着された前記紙幣収納カセットの前記カセット情報とを照合して適正であるか否かを判定し、
前記通知部は、前記判定部が前記１つの収納空間に装着された前記紙幣収納カセットの前記カセット情報と、前記別の収納空間に対応付けられた前記カセット関連情報とが適正であると判定し、かつ前記別の収納空間に装着された前記紙幣収納カセットの前記カセット情報と、前記１つの収納空間に対応付けられた前記カセット関連情報とが適正であると判定した場合に通知を行う、
請求項１又は２に記載の紙幣処理ユニット。
【請求項４】
前記複数の収納空間のうちの１つが第１収納空間であり、前記複数の収納空間のうちの前記第１収納空間とは異なる収納空間が第２収納空間であって、
前記第１収納空間に対応付けられた第１カセット関連情報と、前記第２収納空間に対応付けられた第２カセット関連情報とが前記記憶部に記憶されていた場合、
前記判定部は、前記第１収納空間に装着された前記紙幣収納カセットの前記カセット情報と前記第１カセット関連情報とが適正でないと判定した場合、前記第１収納空間に装着された前記紙幣収納カセットの前記カセット情報と前記第２カセット関連情報とを照合して適正であるか否かを判定し、
前記通知部は、前記判定部が前記第１収納空間に装着された前記紙幣収納カセットの前記カセット情報と前記第２カセット関連情報とが適正であると判定し、かつ前記第２収納空間に装着された前記紙幣収納カセットの前記カセット情報と前記第１カセット関連情報とが適正であると判定した場合に通知を行う、
請求項１乃至３の何れか一項に記載の紙幣処理ユニット。
【請求項５】
前記判定部が前記第１収納空間に装着された前記紙幣収納カセットの前記カセット情報と前記第２カセット関連情報とが適正であると判定した場合、紙幣が搬送される搬送元を切り替える紙幣搬送部をさらに備える、
請求項４に記載の紙幣処理ユニット。
【請求項６】
紙幣収納カセットを着脱自在に形成した収納空間が複数設けられた紙幣処理ユニットのコンピュータが、
前記収納空間毎に前記紙幣収納カセットが着脱されたことを検出する検出ステップと、
前記検出ステップによって前記紙幣収納カセットが前記収納空間に装着されたことを検出した場合、当該収納空間に装着された前記紙幣収納カセットが有するカセット情報を取得する取得ステップと、
前記収納空間に装着された前記紙幣収納カセットの前記カセット情報と、当該収納空間に対応付けられたカセット関連情報とを照合して適正であるか否かを判定する判定ステップと、
前記判定ステップによって前記収納空間に装着された前記紙幣収納カセットの前記カセット情報と当該収納空間に対応付けられたカセット関連情報とが適正でないと判定された場合、通知を行う通知ステップと、を
実行する紙幣処理方法。
【請求項７】
紙幣収納カセットを着脱自在に形成した収納空間が複数設けられた紙幣処理ユニットのコンピュータに、
前記収納空間毎に前記紙幣収納カセットが着脱されたことを検出する検出ステップと、
前記検出ステップによって前記紙幣収納カセットが前記収納空間に装着されたことを検出した場合、当該収納空間に装着された前記紙幣収納カセットが有するカセット情報を取得する取得ステップと、
前記収納空間に装着された前記紙幣収納カセットの前記カセット情報と、当該収納空間に対応付けられたカセット関連情報とを照合して適正であるか否かを判定する判定ステップと、
前記判定ステップによって前記収納空間に装着された前記紙幣収納カセットの前記カセット情報と当該収納空間に対応付けられたカセット関連情報とが適正でないと判定された場合、通知を行う通知ステップと、を
実行させる紙幣処理プログラム。
【発明の詳細な説明】
【技術分野】
【０００１】
この発明は、紙幣を収納し、本体に着脱自在の紙幣収納カセットを使用する紙幣処理ユニット、紙幣処理方法及び紙幣処理プログラムに関する。
【背景技術】
【０００２】
従来、紙幣処理ユニットには、投入された紙幣を他の利用者に対してつり銭として利用しないものがある（例えば、特許文献１参照）。特許文献１に記載の紙幣処理ユニットは、本体に対して着脱自在の紙幣処理カセットを備えている。紙幣搬送部は、紙幣投入口に投入された紙幣を紙幣搬送路に沿って紙幣収納カセットに搬送する。
【０００３】
特許文献１に記載の紙幣処理ユニットでは、１つの紙幣収納カセットが使用され、この紙幣収納カセットには、無線通信媒体が取り付けられている。無線通信媒体は、紙幣収納カセットを紙幣処理ユニット本体に装着した状態であるときに、紙幣処理ユニット本体側に設けられたアンテナによって形成される無線通信エリア内に配置されている。無線通信媒体の制御部は、無線通信媒体本体各部の動作を制御する。無線通信媒体の制御部は、紙幣処理ユニット本体での使用にかかるデータ等を記憶するメモリを有している。このデータは、紙幣収納空間に収納している紙幣の金種毎の枚数と合計金額である。
【先行技術文献】
【特許文献】
【０００４】
【特許文献１】特開２０１５−２２８１０８号公報
【発明の概要】
【発明が解決しようとする課題】
【０００５】
しかしながら、紙幣処理ユニットには、紙幣収納カセットを着脱自在に形成した収納空間が複数設けられていることがある。つまり、紙幣処理ユニットでは、複数の収納空間に着脱可能な紙幣収納カセットが使用される。複数の紙幣収納カセットには、例えば、それぞれに異なる金種の紙幣が収納されている。各紙幣収納カセットは、複数の収納空間のそれぞれに対して装着可能であるので、利用者（例えば、管理者）が、紙幣収納カセットを収納空間に装着する時に入れ違えてしまうことがある。これにより、紙幣処理ユニットは、紙幣収納カセットが入れ違って装着されたことを検出せずに動作してしまうことがある。
【０００６】
この発明の目的は、紙幣収納カセットの入れ違いを検出する技術を提供することにある。
【課題を解決するための手段】
【０００７】
この発明にかかる紙幣処理ユニットは、上記目的を達するために、以下のように構成している。
【０００８】
この紙幣処理ユニットは、紙幣収納カセットを着脱自在に形成した収納空間が複数設けられた紙幣処理ユニットにおいて、前記複数の収納空間毎に対応付けられたカセット関連情報を記憶する記憶部と、前記収納空間毎に前記紙幣収納カセットが着脱されたことを検出する検出部と、前記検出部によって前記紙幣収納カセットが前記収納空間に装着されたことを検出した場合、当該収納空間に装着された前記紙幣収納カセットが有するカセット情報を前記紙幣収納カセットから取得する取得部と、前記収納空間に装着された前記紙幣収納カセットの前記カセット情報と、当該収納空間に対応付けられたカセット関連情報とを照合して適正であるか否かを判定する判定部と、前記判定部によって前記収納空間に装着された前記紙幣収納カセットの前記カセット情報と当該収納空間に対応付けられたカセット関連情報とが適正でないと判定された場合、通知を行う通知部と、を備える。
【０００９】
この構成では、紙幣収納カセット毎にカセット情報を取得して、収納空間毎に対応付けられたカセット関連情報と取得したカセット情報とを照合して適正であるか否かを判定する。そして、この構成では、収納空間毎に対応付けられたカセット関連情報と取得したカセット情報とが適正でないと判定した場合、上位装置、例えば自動券売機、に通知を行って、紙幣収納カセットの入れ違いを検出することができる。
【００１０】
また、紙幣処理ユニットでは、前記検出部によって前記紙幣収納カセットの着脱が検出される毎に、着脱された当該紙幣収納カセットの前記カセット情報と、当該紙幣収納カセットが着脱された日時とを記憶するログ記憶部をさらに備えてもよい。
【００１１】
このように構成すれば、利用者が紙幣収納カセットの着脱日時を知ることができるので、防犯などに役立たせることができる。
【００１２】
また、紙幣処理ユニットでは、前記判定部は、前記複数の収納空間のうち１つの収納空間に装着された前記紙幣収納カセットの前記カセット情報と、前記１つの収納空間に対応付けられたカセット関連情報とが適正でないと判定した場合、前記１つの収納空間とは別の収納空間に対応付けられたカセット関連情報と前記１つの収納空間に装着された前記紙幣収納カセットの前記カセット情報とを照合して適正であるか否かを判定するのが好ましい。前記通知部は、前記判定部が前記１つの収納空間に装着された前記紙幣収納カセットの前記カセット情報と、前記別の収納空間に対応付けられた前記カセット関連情報とが適正であると判定し、かつ前記別の収納空間に装着された前記紙幣収納カセットの前記カセット情報と、前記１つの収納空間に対応付けられた前記カセット関連情報とが適正であると判定した場合に通知を行うことが好ましい。
【００１３】
このように構成すれば、紙幣処理ユニットは、１つの収納空間に装着された紙幣収納カセットと、別の収納空間に装着された紙幣収納カセットが、互いに入れ違って装着していることを検出することができる。
【００１４】
また、紙幣処理ユニットでは、前記複数の収納空間のうちの１つが第１収納空間であり、前記複数の収納空間のうちの前記第１収納空間とは異なる収納空間が第２収納空間であって、前記第１収納空間に対応付けられた第１カセット関連情報と、前記第２収納空間に対応付けられた第２カセット関連情報とが前記記憶部に記憶されていた場合、前記判定部は、前記第１収納空間に装着された前記紙幣収納カセットの前記カセット情報と前記第１カセット関連情報とが適正でないと判定した場合、前記第１収納空間に装着された前記紙幣収納カセットの前記カセット情報と前記第２カセット関連情報とを照合して適正であるか否かを判定するのが好ましい。前記通知部は、前記判定部が前記第１収納空間に装着された前記紙幣収納カセットの前記カセット情報と前記第２カセット関連情報とが適正であると判定し、かつ前記第２収納空間に装着された前記紙幣収納カセットの前記カセット情報と前記第１カセット関連情報とが適正であると判定した場合に通知を行うことが好ましい。
【００１５】
このように構成すれば、紙幣処理ユニットは、第１収納空間に装着された紙幣収納カセットと第２収納空間に装着された紙幣収納カセットとが入れ違って装着されたことを検出することができる。
【００１６】
また、紙幣処理ユニットでは、前記判定部が前記第１収納空間に装着された前記紙幣収納カセットの前記カセット情報と前記第２カセット関連情報とが適正であると判定した場合、紙幣が搬送される搬送元を切り替える紙幣搬送部をさらに備えることが好ましい。
【００１７】
このように構成すれば、紙幣収納カセットが入れ違って装着された場合でも、搬送元を切り替えることで、適正な金種の紙幣を搬送することができる。
【発明の効果】
【００１８】
この発明によれば、紙幣収納カセットの入れ違いを検出することができる。
【図面の簡単な説明】
【００１９】
【図１】紙幣処理ユニットの主要部の構成を示すブロック構成図である。
【図２】紙幣処理ユニットの内部構造を示す概略図である。
【図３】複数の収納空間毎に対応付けられたカセット関連情報の対応表を示す図である。
【図４】紙幣処理ユニットの動作の一例を示すフローチャートである
【図５】紙幣処理ユニットの電源をオフ状態からオン状態に切り替えた場合の動作の一例を示すフローチャートである。
【図６】変形例にかかる紙幣処理ユニットの動作を示すフローチャートである。
【発明を実施するための形態】
【００２０】
以下、この発明の実施形態の１つである、紙幣処理ユニット１、紙幣処理方法、及び紙幣処理プログラムの例について図面を参照して説明する。
【００２１】
＜１．適用例＞
図１は、紙幣処理ユニット１の主要部の構成を示すブロック構成図である。図２は紙幣処理ユニット１の内部構造を示す概略図である。紙幣処理ユニット１は、制御部２と、紙幣識別部３と、複数（図１では２つ）の出金カセット４１、４２と、入金カセット５と、上位入出力インタフェース６とを備えている。出金カセット４１、４２、及び入金カセット５は、この発明にかかる紙幣収納カセットを示す。なお、以下の説明において、出金カセット４１、４２を特定せずに説明する場合、出金カセット４で説明する。
【００２２】
この例にかかる紙幣処理ユニット１は、駅等に設置されている自動券売機に使用されている。紙幣処理ユニット１には、図２に示すように、筐体に紙幣投入口１０１と紙幣返却口１０２とが設けられている。紙幣処理ユニット１では、利用者が投入した紙幣が紙幣搬送路２２１、２２２、２２３、２２４、に沿って搬送され、紙幣識別部３を通過して入金カセット５に収納される。
【００２３】
この例にかかる紙幣処理ユニット１は、利用者によって投入された紙幣をつり銭紙幣として使用しない。紙幣処理ユニット１は、利用者につり銭紙幣を放出する場合、出金カセット４１、４２に収納されている紙幣を使用する。
【００２４】
出金カセット４１、４２には、予め定められた金種の紙幣が収納されている。例えば、出金カセット４１には、金種Ｘ１の紙幣が収納されている。また、出金カセット４２には、金種Ｙ１の紙幣が収納されている。以下において、金種Ｘ１は金種Ｙ１と異なる金種として説明する。
【００２５】
この紙幣処理ユニット１の筐体には、出金カセット４が着脱自在に形成された複数（図２では２つ）の収納空間１１１、１１２が設けられている。例えば、出金カセット４１は、収納空間１１１及び収納空間１１２に対して着脱自在に形成されている。また、例えば、出金カセット４２は、収納空間１１１及び１１２に対して着脱自在に形成されている。例えば、出金カセット４１及び出金カセット４２は、同じ又は略同じ形状で形成されている。このように、出金カセット４１、４２が同じ又は略同じに形成されることで、出金カセット４１、４２の生産効率が向上する。なお、収納空間１１１は、この発明にかかる第１収納空間を示し、収納空間１１２は、この発明にかかる第２収納空間を示す。
【００２６】
また、紙幣処理ユニット１の筐体には、入金カセット５を着脱可能に形成した収納空間１１３が設けられている。入金カセット５には、金種に関係なく紙幣投入口１０１から投入された紙幣が収納される。なお、入金カセット５には、出金カセット４１、４２から繰り出した紙幣が収納される場合もある。
【００２７】
紙幣処理ユニット１には、収納空間１１１、１１２毎に対応付けられたカセット関連情報が記憶されている。カセット関連情報は、例えば、３２バイトのデータであって、出金カセット４を識別する固有のＩＤ番号である。図３は、複数の収納空間１１１、１１２毎に対応付けられたカセット関連情報の対応表７０を示す図である。紙幣処理ユニット１では、図３に示すように、収納空間１１１とＩＤ０００１（第１カセット関連情報）が対応付けられている。また、紙幣処理ユニット１では、収納空間１１２とＩＤ０００２（第２カセット関連情報）が対応付けられている。
【００２８】
各出金カセット４１、４２は、識別可能な固有のＩＤ情報を示すカセット情報を有している。カセット情報は、各出金カセット４１、４２が有する記憶媒体に記憶されている。この例にかかる出金カセット４１のカセット情報は、ＩＤ０００１である。また、この例にかかる出金カセット４２は、カセット情報はＩＤ０００２である。
【００２９】
各出金カセット４がカセット情報を有することで、紙幣処理ユニット１は、収納空間１１１、１１２に対応表７０で対応付けられたカセット関連情報と、収納空間１１１、１１２毎に装着された出金カセット４のカセット情報とを照合して適正であるか否かを判定する。言い換えると、紙幣処理ユニット１は、収納空間１１１、１１２に対応付けられたカセット関連情報と、これらカセット関連情報と一致するカセット情報を有する出金カセット４が適宜収納空間１１１、１１２に装着されているか否かを判定する。
【００３０】
例えば、紙幣処理ユニット１は、収納空間１１１に、ＩＤ０００１を示すカセット情報を有する出金カセット４１が装着されているか否かを判定する。また、紙幣処理ユニット１は、例えば、収納空間１１２に、ＩＤ０００２を示すカセット情報を有する出金カセット４２が装着されているか否かを判定する。
【００３１】
さらに、この例にかかる紙幣処理ユニット１において、ＩＤ０００１を示すカセット情報を有する出金カセット４１には、金種Ｘ１の紙幣が収納されている。また、この例にかかる紙幣処理ユニット１において、ＩＤ０００２を示すカセット情報を有する出金カセット４２には、金種Ｙ１の紙幣が収納されている。つまり、管理者は、出金カセット４のカセット情報を知ることで、この出金カセット４に収納する金種の紙幣を知ることができる。
【００３２】
ところで、紙幣処理ユニット１において、出金カセット４１、４２に紙幣を補充する場合、管理者は、例えば、紙幣処理ユニット１の電源をオフ状態にして、出金カセット４１、４２を、一旦収納空間１１１、１１２から取り外す。管理者は、取り外された出金カセット４１、４２に紙幣を補充した後、出金カセット４１、４２を再び収納空間１１１、１１２に装着する。このとき、管理者による出金カセット４１、４２の入れ違いが発生することがある。
【００３３】
管理者は、出金カセット４１、４２を装着して、紙幣処理ユニット１の電源をオン状態にする。紙幣処理ユニット１は、例えば、電源がオン状態にされた時に、収納空間１１１、１１２毎に、対応付けられたカセット関連情報と装着された出金カセット４のカセット情報とが一致するか否かを判定する。そして、紙幣処理ユニット１は、収納空間１１１、１１２毎に、対応付けられたカセット関連情報と装着された出金カセット４のカセット情報とが一致していなければ、上位装置（例えば、自動券売機）の制御部へ通知を行う。
【００３４】
例えば、管理者は、出金カセット４１を収納空間１１１から取り外し、さらに、出金カセット４２を収納空間１１２から取り外したとする。管理者は、出金カセット４１に、金種Ｘ１の紙幣を補充し、また、出金カセット４２に金種Ｙ１の紙幣を補充する。そして、管理者は、出金カセット４２を収納空間１１１に装着し、出金カセット４１を収納空間１１２に装着したとする。この場合、紙幣処理ユニット１は、対応表７０で収納空間１１１に対応付けられたＩＤ０００１と、収納空間１１１に装着された出金カセット４２のカセット情報（ＩＤ０００２）とが一致しないので、上位装置へ通知を行う。また、紙幣処理ユニット１は、対応表７０で収納空間１１２に対応付けられたＩＤ０００２と、収納空間１１２に装着された出金カセット４１のカセット情報（ＩＤ０００１）とが一致しないので、上位装置へ通知を行う。
【００３５】
管理者が出金カセット４１、４２を入れ違えたままで、紙幣処理ユニット１が入れ違いを検出せずに動作を行うと、適正ではない金種の紙幣がつり銭として放出されることになる。そこで、この例にかかる紙幣処理ユニット１は、収納空間１１１、１１２毎に、対応表７０で対応付けられたカセット関連情報と、このカセット関連情報と一致しないカセット情報を有する出金カセット４が装着されたことを検出することができる。そして、紙幣処理ユニット１は、これを上位装置に通知することで、上位装置は、紙幣処理ユニット１の動作を停止するなどして、紙幣処理ユニット１の動作を制限する。これにより、紙幣処理ユニット１は、適正ではない金種の紙幣がつり銭として放出されることを防止することができる。
【００３６】
なお、カセット関連情報及びカセット情報は、出金カセット４を識別する固有のＩＤ番号に限定されず、例えば、金種を示す情報でもよい。
【００３７】
＜２．構成例＞
各出金カセット４１、４２は、記憶媒体（例えばＥＥＰＲＯＭ）を有している。各記憶媒体には、固有のＩＤ番号を示すカセット情報（例えば、ＩＤ０００１、ＩＤ０００２）が記憶されている。出金カセット４１には、金種Ｘ１の紙幣を収納する。また、例えば、出金カセット４２には、金種Ｙ１の紙幣を収納する。言い換えると、カセット情報がＩＤ０００１の出金カセット４１は、金種Ｘ１の紙幣を収納する。また、カセット情報がＩＤ０００２の出金カセット４２は、金種Ｙ１の紙幣を収納する。
【００３８】
また、各出金カセット４１、４２は、有線又は無線インタフェースを備える。各出金カセット４１、４２が収納空間１１１、１１２に装着されると、インタフェースは、収納空間１１１、１１２に設けられているインタフェースなどに機械的又は電気的に接続される。後述する制御部２の取得部２４は、各インタフェースを介して、各カセット情報を取得する。
【００３９】
この例にかかる入金カセット５は、収納空間１１３に装着可能に形成されている。入金カセット５は、例えば、入金カセット示すカセット情報が付与された記憶媒体を備えている。入金カセット５のカセット情報は、例えば３２バイトのデータであって、入金カセット５を識別する固有のＩＤ番号である。入金カセット５は、有線又は無線インタフェースを備える。入金カセット５が収納空間１１３に装着されると、インタフェースは、収納空間１１３に設けられているインタフェースなどに機械的又は電気的に接続される。制御部２の取得部２４は、このインタフェースを介して、入金カセット５のカセット情報を取得する。なお、入金カセット５のカセット情報は、固有のＩＤ番号に限定されない。
【００４０】
紙幣識別部３は、紙幣搬送路２２１に沿って搬送される紙幣の金種及び真偽を識別する。紙幣識別部３は、紙幣の光学パターン及び磁気パターン等を読み取り、金種及び真偽を識別する。紙幣識別部３については公知であるので、ここでは詳細な説明を省略する。
【００４１】
上位入出力インタフェース６は、この紙幣処理ユニット１を使用する上位装置（この例では、自動券売機）との間におけるデータの入出力を行う。例えば、後述する制御部２の通知部２６は、上位入出力インタフェース６を介して上位装置に通知を行う。また、上位入出力インタフェース６は、例えば、投入された紙幣の合計金額を示すデータを上位装置に入力する。また、上位入出力インタフェース６には、上位入出力装置から発券完了の通知等が入力される。
【００４２】
制御部２は、図１に示すように、記憶部２１と、紙幣搬送部２２と、カセット検出部２３と、取得部２４と、判定部２５と、通知部２６と、ログ記憶部２７とを備えている。
【００４３】
制御部２は、紙幣搬送部２２、カセット検出部２３、取得部２４、判定部２５、通知部２６及びログ記憶部２７の各部を制御する。紙幣搬送部２２は、図２に示すように、紙幣搬送路２２１、２２２、２２３、２２４、２２５、２２６、２２７に沿って紙幣を搬送する。
【００４４】
紙幣搬送路２２１は、紙幣投入口１０１と紙幣返却口１０２とを結ぶ。紙幣搬送路２２１は、紙幣処理ユニット１の本体１０の内部でＵターンさせた搬送路である。また、紙幣搬送路２２１は、紙幣が紙幣識別部３を通るように形成されている。
【００４５】
紙幣搬送路２２２は、分岐２２ａにおいて、紙幣搬送路２２１から分岐した搬送路である。紙幣搬送路２２２は、紙幣搬送路２２１と紙幣搬送路２２３とを結ぶ搬送路である。紙幣搬送路２２３は、紙幣投入口１０１に投入された紙幣を一時的に保持する保持部として利用される。紙幣搬送路２２３が保持する紙幣の枚数は、１枚とは限らない。紙幣搬送路２２３は、複数枚の紙幣を重ねた状態で保持してもよい。
【００４６】
紙幣搬送路２２４は、分岐２２ｂにおいて、紙幣搬送路２２２から分岐した搬送路である。紙幣搬送路２２４の一端は、入金カセット５につながっている。つまり、紙幣搬送路２２４は、入金カセット５に収納する紙幣を搬送する搬送路である。
【００４７】
また、紙幣搬送路２２５は、分岐２２ｃにおいて、紙幣搬送路２２１から分岐した搬送路である。紙幣搬送路２２６は、分岐２２ｄにおいて、紙幣搬送路２２５から分岐した搬送路である。紙幣搬送路２２６の一端は、出金カセット４１につながっている。つまり、紙幣搬送路２２６は、出金カセット４１に収納されている紙幣を搬送する搬送路である。
【００４８】
また、紙幣搬送路２２７は、分岐２２ｄにおいて、紙幣搬送路２２５から分岐した搬送路である。紙幣搬送路２２７の一端は、出金カセット４２につながっている。つまり、紙幣搬送路２２７は、出金カセット４２に収納されている紙幣を搬送する搬送路である。
【００４９】
分岐２２ａ、分岐２２ｂ、分岐２２ｃ及び分岐２２ｄには、紙幣の搬送先又は搬送元を切り替えるフラッパが設けられている。紙幣搬送部２２は、フラッパを制御することで、紙幣の搬送先又は搬送元を切り替えている。紙幣搬送部２２は、例えば、分岐２２ｄのフラッパを制御することで、つり銭紙幣の搬送元である出金カセット４１及び出金カセット４２を切り替える。
【００５０】
また、紙幣搬送路２２２、２２３の紙幣の搬送方向は、双方向である。言い換えると、紙幣搬送部２２は、紙幣搬送路２２２で搬送される紙幣を、紙幣搬送路２２１から分岐２２ｂに向かう方向、又は分岐２２ｂから紙幣搬送路２２１に向かう方向の何れにおいても搬送する。また、紙幣搬送部２２は、紙幣搬送路２２３で搬送される紙幣を、分岐２２ｂに向かう方向、又は分岐２２ｂからの方向の何れにおいても搬送する。
【００５１】
紙幣搬送部２２は、紙幣搬送路２２２、２２３に沿って搬送される紙幣の搬送方向を個別に切り替える。具体的には、紙幣搬送部２２は図示していないモータの回転方向を制御することによって、紙幣搬送路２２２、２２３における紙幣の搬送方向を切り替える。紙幣搬送路２２２、２２３は、例えば、図示していないモータの駆動制御によって搬送ローラを駆動する。
【００５２】
なお、紙幣搬送部２２は、紙幣搬送路２２１、２２２、２２３、２２４、２２５、２２６、２２７の複数の位置にセンサを設けており、各センサの検出位置おける紙幣の有無を検知している。
【００５３】
カセット検出部２３は、収納空間１１１、１１２毎に出金カセット４１、４２が装着されていることを検出する。カセット検出部２３は、収納空間１１３に入金カセット５が装着されていることを検出する。
【００５４】
例えば、各収納空間１１１、１１２には、図示していないスイッチが設けられている。各スイッチは、出金カセット４の着脱に応じてオン又はオフになる。これにより、カセット検出部２３は、出金カセット４の着脱を検出する。また、収納空間１１３には、例えばスイッチが設けられている。このスイッチは、入金カセット５の着脱に応じてオン又はオフになる。これにより、カセット検出部２３は、入金カセット５の着脱を検出する。
【００５５】
取得部２４は、カセット検出部２３が、出金カセット４が各収納空間１１１、１１２に装着されていることを検出した場合、収納空間１１１、１１２毎に出金カセット４のカセット情報を取得する。例えば、収納空間１１１に出金カセット４が装着されていれば、取得部２４は、収納空間１１１に設けられたインタフェースを介して、出金カセット４のカセット情報を出金カセット４の記憶媒体から取得する。また、例えば、収納空間１１２に出金カセット４が装着されていれば、取得部２４は、収納空間１１２に設けられたインタフェースを介して、出金カセット４のカセット情報を出金カセット４の記憶媒体から取得する。さらに、取得部２４は、収納空間１１３に設けられたインタフェースを介して、入金カセット５のカセット情報を入金カセット５の記憶媒体から取得する。
【００５６】
記憶部２１には、収納空間１１１、１１２毎に対応付けられたカセット関連情報が記憶されている。図３で示される対応表７０には、収納空間１１１とＩＤ０００１、及び収納空間１１２とＩＤ０００２がそれぞれ対応付けられている。
【００５７】
判定部２５は、収納空間１１１、１１２毎に、装着された出金カセット４のカセット情報と、対応表７０で対応付けられたカセット関連情報のＩＤ０００１、ＩＤ０００２とが一致するか否かを判定する。
【００５８】
例えば、収納空間１１１に出金カセット４が装着されていた場合、判定部２５は、収納空間１１１に対応付けられたカセット関連情報のＩＤ０００１とこの出金カセット４のカセット情報とが一致するか否かを判定する。また、例えば、収納空間１１２に出金カセット４が装着されていた場合、判定部２５は、収納空間１１２に対応付けられたカセット関連情報のＩＤ０００２とこの出金カセット４のカセット情報とが一致するか否かを判定する。
【００５９】
判定部２５が収納空間１１１に対応付けられたカセット関連情報（ＩＤ０００１）と、収納空間１１１に装着された出金カセット４のカセット情報（ＩＤ０００１）とが一致すると判定することで、紙幣処理ユニット１は、収納空間１１１に出金カセット４１が装着されていると特定する。また、判定部２５が収納空間１１２に対応付けられたカセット関連情報（ＩＤ０００２）と、収納空間１１２に装着された出金カセット４のカセット情報（ＩＤ０００２）とが一致すると判定することで、紙幣処理ユニット１は、収納空間１１２に出金カセット４２が装着されていると特定する。これにより、紙幣処理ユニット１は、収納空間１１１、１１２毎に、対応表７０で対応付けられたカセット関連情報と一致するカセット情報を有する出金カセット４が装着されていることを検出することができる。この結果、紙幣処理ユニット１は、適宜、適正な金種の紙幣をつり銭紙幣として放出することができる。
【００６０】
また、例えば、判定部２５が収納空間１１１に対応付けられたカセット関連情報（ＩＤ０００１）と収納空間１１１に装着された出金カセット４のカセット情報が一致しないと判定した場合、紙幣処理ユニット１は、収納空間１１１には、出金カセット４１以外の出金カセット４が装着されていることを検出する。さらに、判定部２５が収納空間１１２に対応付けられたカセット関連情報（ＩＤ０００２）と収納空間１１２に装着された出金カセット４のカセット情報が一致しないと判定した場合、紙幣処理ユニット１は、収納空間１１２には、出金カセット４２以外の出金カセット４が装着されていることを検出する。
【００６１】
判定部２５が、収納空間１１１、１１２毎に、対応付けられたカセット関連情報と、装着された出金カセット４のカセット情報とが一致しないと判定した場合、通知部２６は、上位入出力インタフェース６を介して上位装置に通知を行う。
【００６２】
ログ記憶部２７は、カセット検出部２３が、出金カセット４１、４２又は入金カセット５の着脱を検出した場合、検出した出金カセット４１、４２又は入金カセット５のカセット情報及び、着脱された日時を記録する。これにより、管理者は、出金カセット４の着脱の日時を知ることができる。
【００６３】
この例にかかる紙幣処理ユニット１は、収納空間１１１、１１２毎に、出金カセット４の入れ違いを検出することができる。また、この例にかかる紙幣処理ユニット１は、上位装置に、出金カセット４の入れ違いの通知を行うことで、上位装置によって動作が制限されて、適正ではない金種の紙幣がつり銭として放出されることを防止することができる。
【００６４】
なお、紙幣処理ユニット１の制御部２は、ハードウェアＣＰＵ、メモリ（記憶部）２１、その他の電子回路によって構成されている。ハードウェアＣＰＵが、本実施形態にかかる紙幣処理プログラムを実行したときに、カセット検出部２３と、取得部２４と、判定部２５と、通知部２６として動作する。また、メモリ（記憶部）２１は、本実施形態にかかる紙幣処理プログラムを展開する領域や、この紙幣処理プログラムの実行時に生じたデータ等を一時記憶する領域を有している。制御部２は、ハードウェアＣＰＵ、メモリ等を一体化したＬＳＩであってもよい。また、ハードウェアＣＰＵが、本実施形態にかかる紙幣処理方法を実行するコンピュータである。
【００６５】
＜３．動作例＞
この例にかかる紙幣処理ユニット１の動作を、図４を参照して説明する。図４は、この例にかかる紙幣処理ユニット１の動作の一例を示すフローチャートである。
【００６６】
紙幣処理ユニット１のカセット検出部２３は、出金カセット４が収納空間１１１に装着されたか否かを検出する（Ｓ１１）。カセット検出部２３が収納空間１１１に、出金カセット４が装着されたことを検出した場合（Ｓ１１：Ｙｅｓ）、紙幣処理ユニット１の取得部２４は、この出金カセット４のカセット情報を取得する（Ｓ１２）。紙幣処理ユニット１では、カセット情報によって、出金カセット４が収納する紙幣の金種が決められているので、紙幣処理ユニット１は、装着された出金カセット４が収納する紙幣の金種を知ることができる。
【００６７】
紙幣処理ユニット１の判定部２５は、収納空間１１１に装着された出金カセット４のカセット情報と、収納空間１１１に対応付けられたカセット関連情報（ＩＤ０００１）とが一致するか否かを判定する（Ｓ１３）。判定部２５が当該カセット情報と収納空間１１１に対応付けられたカセット関連情報（ＩＤ０００１）とが一致すると判定した場合（Ｓ１３：Ｙｅｓ）、カセット検出部２３は、出金カセット４が収納空間１１２に装着されたか否かを検出する（Ｓ１５）。カセット検出部２３が収納空間１１２に、出金カセット４が装着されたことを検出した場合（Ｓ１５：Ｙｅｓ）、紙幣処理ユニット１の取得部２４は、この出金カセット４のカセット情報を取得する（Ｓ１６）。紙幣処理ユニット１の判定部２５は、当該カセット情報と、収納空間１１２に対応付けられたカセット関連情報（ＩＤ０００２）とが一致するか否かを判定する（Ｓ１７）。判定部２５は、当該カセット情報とカセット関連情報（ＩＤ０００２）が一致すると判定した場合（Ｓ１７：Ｙｅｓ）、処理を終了する。
【００６８】
これにより、紙幣処理ユニット１は、収納空間１１１に、ＩＤ０００１のカセット情報を有する出金カセット４１が装着されたことを検出する。つまり、収納空間１１１には、金種Ｘ１を収納する出金カセット４１が装着されていることを検出する。また、紙幣処理ユニット１は、収納空間１１２には、ＩＤ０００２のカセット情報を有する出金カセット４２が装着されたことを検出する。つまり、収納空間１１２には、金種Ｙ１を収納する出金カセット４２が装着されていることを検出する。
【００６９】
一方、判定部２５が、収納空間１１１に装着された出金カセット４のカセット情報と収納空間１１１に対応付けられたカセット関連情報（ＩＤ０００１）とが一致しないと判定した場合（Ｓ１３：Ｎｏ）、紙幣処理ユニット１の通知部２６は、上位装置に通知を行う（Ｓ１４）。
【００７０】
また、判定部２５が、収納空間１１２に装着された出金カセット４のカセット情報とカセット関連情報（ＩＤ０００２）とが一致しないと判定した場合（Ｓ１７：Ｎｏ）、紙幣処理ユニット１の通知部２６は、上位装置に通知を行う（Ｓ１４）。
【００７１】
つまり、紙幣処理ユニット１は、収納空間１１１に、対応表７０で対応付けられたカセット関連情報（ＩＤ０００１）と一致するカセット情報を有する出金カセット４１が装着されていないことを検出する。つまり、収納空間１１１には、金種Ｘ１を収納する出金カセット４１が装着されていないことを検出する。また、紙幣処理ユニット１は、収納空間１１１に、対応表７０で対応付けられたカセット関連情報（ＩＤ０００２）と一致するカセット情報を有する出金カセット４２が装着されていないことを検出する。つまり、収納空間１１２には、金種Ｙ１を収納する出金カセット４２が装着されていないことを検出する。
【００７２】
紙幣処理ユニット１は、収納空間１１１に出金カセット４１が装着されていない場合又は収納空間１１２に出金カセット４２が装着されていない場合、上位装置に通知を行う。紙幣処理ユニット１は、上位装置によって動作が制限され、収納空間１１１又は収納空間１１２に装着された出金カセット４から、つり銭紙幣として紙幣が放出することを防止する。
【００７３】
次に、紙幣処理ユニット１の電源がオフ状態からオン状態に切り替えられた場合の動作の一例について図５を参照して説明する。図５は、紙幣処理ユニット１の電源がオフ状態からオン状態に切り替えられた場合の動作の一例を示すフローチャートである。ここで、電源がオフ状態からオン状態に切り替えられた場合とは、メンテナンス等で、紙幣処理ユニット１の電源が切り替えられることである。例えば、管理者は、紙幣処理ユニット１の電源をオフ状態にし、出金カセット４１、４２を取り外し、出金カセット４１、４２に紙幣を補充する。さらに、管理者が出金カセット４１、４２を収納空間１１１、１１２に再び装着させた後、紙幣処理ユニット１の電源をオン状態にする場合を想定する。
【００７４】
紙幣処理ユニット１のカセット検出部２３は、収納空間１１１、１１２毎に、出金カセット４が装着されていることを検出する（Ｓ２１）。紙幣処理ユニット１の取得部２４は、収納空間１１１、１１２毎に、装着された出金カセット４のカセット情報を取得する（Ｓ２２）。
【００７５】
紙幣処理ユニット１の判定部２５は、収納空間１１１、１１２毎に、取得したカセット情報と、収納空間１１１、１１２毎に対応表７０で対応付けられたカセット関連情報とが一致しているか否かを判定する（Ｓ２３）。より詳細には、判定部２５は、収納空間１１１に装着されている出金カセット４のカセット情報と、カセット関連情報（ＩＤ０００１）とが一致しているか否かを判定する。さらに、判定部２５は、収納空間１１２に装着されている出金カセット４のカセット情報と、カセット関連情報（ＩＤ０００２）とが一致しているか否かを判定する。判定部２５が、収納空間１１１に装着された出金カセット４のカセット情報とカセット関連情報（ＩＤ０００１）とが一致し、かつ収納空間１１２に装着された出金カセット４のカセット情報とカセット関連情報（ＩＤ０００２）とが一致したと判定した場合（Ｓ２３：Ｙｅｓ）、紙幣処理ユニット１のログ記憶部２７は、当該カセット情報と日時を記憶する（Ｓ２４）。ログ記憶部２７がカセット情報と日時を記録することで、管理者は、出金カセット４１、４２がいつ着脱されたかを知ることができる。
【００７６】
また、判定部２５が、収納空間１１１、１１２の少なくとも一方で、出金カセット４のカセット情報と対応表７０で対応付けられたカセット関連情報と一致していないと判定した場合（Ｓ２３：Ｎｏ）、紙幣処理ユニット１の通知部２６は、上位装置に通知を行う（Ｓ２５）。これにより、管理者は、出金カセット４の入れ違いに気づくことができる。
【００７７】
この例に係る紙幣処理ユニット１は、収納空間１１１、１１２毎に、対応付けられたカセット関連情報と、装着された出金カセット４のカセット情報とが一致するか否かを判定する。これにより、この例にかかる紙幣処理ユニット１は、収納空間１１１、１１２毎に、対応付けられたカセット関連情報と、このカセット関連情報と一致するカセット情報を有する出金カセット４が装着されていないことを検出することができる。つまり、この例にかかる紙幣処理ユニット１は、収納空間１１１、１１２毎に、適正な金種の紙幣を収納する出金カセット４が装着されていないことを検出することができる。これにより、この例にかかる紙幣処理ユニット１は、上位装置によって動作を制限され、適正ではない金種の紙幣がつり銭として放出されることを防止することができる。
【００７８】
＜４．変形例＞
変形例に係る紙幣処理ユニット１では、収納空間１１１にＩＤ０００２のカセット情報を有する出金カセット４２が装着され、かつ収納空間１１２にＩＤ０００１のカセット情報を有する出金カセット４１が装着されている場合を想定する。変形例にかかる紙幣処理ユニット１では、収納空間１１１に出金カセット４２が装着され、かつ収納空間１１２に出金カセット４１が装着された場合でも、つり銭紙幣の搬送元（出金カセット４）を切り替えることで、適正な金種の紙幣をつり銭紙幣として放出することができる。
【００７９】
変形例にかかる紙幣処理ユニット１の動作の詳細について図６を参照して説明する。図６は、収納空間１１１、１１２毎に、適正な出金カセット４以外の出金カセット４が装着された場合の一例を示す紙幣処理ユニット１の動作を示すフローチャートである。
【００８０】
なお、処理Ｓ３１からＳ３３は、上述の処理Ｓ１１からＳ１３までと同じ処理であるので、説明を省略する。また、以下の説明において、収納空間１１１に装着されている出金カセット４のカセット情報を第１カセット情報、収納空間１１２に装着されている出金カセット４のカセット情報を第２カセット情報として説明する。
【００８１】
判定部２５が収納空間１１１に装着されている出金カセット４の第１カセット情報とカセット関連情報（ＩＤ０００１）とが一致しないと判定した場合（Ｓ３３：Ｎｏ）、カセット検出部２３は、収納空間１１２に出金カセット４が装着されているか否かを検出する（Ｓ３４）。カセット検出部２３が収納空間１１２に、出金カセット４が装着されたことを検出した場合（Ｓ３４：Ｙｅｓ）、取得部２４は、この出金カセット４の第２カセット情報を取得する（Ｓ３５）。判定部２５は、第２カセット情報と、収納空間１１２に対応付けられたカセット関連情報（ＩＤ０００２）とが一致するか否かを判定する（Ｓ３６）。
【００８２】
判定部２５は、収納空間１１２に装着された出金カセット４の第２カセット情報と、収納空間１１２に対応づけられたカセット関連情報（ＩＤ０００２）とが一致しないと判定した場合（Ｓ３６：Ｎｏ）、収納空間１１２に装着されている出金カセット４の第２カセット情報と収納空間１１１に対応表７０で対応付けられているカセット関連情報（ＩＤ０００１）とが一致している否かを判定する（Ｓ３７）。判定部２５は、第２カセット情報と収納空間１１１に対応付けられたカセット関連情報（ＩＤ０００１）とが一致すると判定した場合（Ｓ３７：Ｙｅｓ）、第１カセット情報と収納空間１１２に対応表７０で対応付けられたカセット関連情報（ＩＤ０００２）とが一致するか否かを判定する（Ｓ３８）。判定部２５が第１カセット情報と収納空間１１２に対応付けられたカセット関連情報（ＩＤ０００２）とが一致すると判定した場合（Ｓ３８：Ｙｅｓ）、紙幣搬送部２２は、搬送元を切り替える（Ｓ３９）。
【００８３】
変形例にかかる紙幣処理ユニット１は、収納空間１１１にＩＤ０００２の第２カセット情報を有する出金カセット４（４２）が装着され、かつ収納空間１１２にＩＤ０００１の第１カセット情報を有する出金カセット４（４１）が装着されていることを検出することができる。つまり、変形例にかかる紙幣処理ユニット１では、２つの出金カセット４が入れ違って装着された場合を検出することができる。これにより、紙幣処理ユニット１は、紙幣搬送部２２によって搬送元である出金カセット４を切り替えることで、動作を停止するなどの制限を受ける必要がない。
【００８４】
一方、判定部２５が第２カセット情報と収納空間１１１に対応付けられたカセット関連情報（ＩＤ０００１）とが一致しない場合（Ｓ３７：Ｎｏ）、通知部２６は、上位装置に通知を行う（Ｓ４０）。この場合、紙幣処理ユニット１は、収納空間１１２には、ＩＤ０００１及びＩＤ０００２の何れにも該当しないカセット情報を有する出金カセット４が装着されていることを検出する。
【００８５】
また、判定部２５が第１カセット情報と収納空間１１２に対応付けられたカセット関連情報（ＩＤ０００２）とが一致しない場合（Ｓ３８：Ｎｏ）、通知部２６は、上位装置に通知を行う（Ｓ４０）。この場合、紙幣処理ユニット１は、収納空間１１１には、ＩＤ０００１及びＩＤ０００２の何れにも該当しないカセット情報を有する出金カセット４が装着されていることを検出する。
【００８６】
管理者が、例えば、この検出結果を知ることで、変形例にかかる紙幣処理ユニット１は、適正ではない金種の紙幣がつり銭として放出されることを防止することができる。
【００８７】
また別の変形例にかかる紙幣処理ユニット１は、自動券売機だけに使用されるものではなく、例えば、両替機、又はＡＴＭなどに使用されてもよい。
【００８８】
また、別の変形例にかかる紙幣処理ユニット１は、３つ以上の出金カセット４を着脱自在に形成した収納空間を複数備えていてもよい。
【００８９】
また、別の変形例にかかる紙幣処理ユニット１は、２つ以上の入金カセット５を着脱自在に形成した収納空間を複数備えていてもよい。
【００９０】
上述の例では、出金カセット４１、４２の入れ違いに関して説明したが、上述の例は、複数の入金カセット５の入れ違いの際にも適用することもできる。
【００９１】
また、別の変形例にかかる紙幣処理ユニット１では、出金カセット情報は、出金カセット４が収納する金種を示す情報でもよい。例えば、出金カセット４１のカセット情報は、金種Ｘ１を示す。また、例えば、出金カセット４２のカセット情報は、金種Ｙ１を示す。この場合、記憶部２１には、収納空間１１１、１１２毎に、金種を示すデータ（例えば、金種Ｘ１、金種Ｙ１）を対応付けて記憶する。
【００９２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００９３】
さらに、この発明にかかる構成と上述した実施形態にかかる構成との対応関係は、以下の付記のように記載できる。
【００９４】
＜付記＞
紙幣収納カセット（４１、４２、５）を着脱自在に形成された収納空間（１１１、１１２）が複数設けられた紙幣処理ユニット（１）において、複数の収納空間（１１１、１１２）毎に対応付けられたカセット関連情報（ＩＤ０００１、ＩＤ０００２）を記憶する記憶部（２１０）と、収納空間（１１１、１１２）毎に紙幣収納カセット（４１、４２）が着脱されたことを検出する検出部（２３）と、検出部（２３）によって紙幣収納カセット（４１、４２）が収納空間（１１１、１１２）に装着されたことを検出した場合、紙幣収納カセット（４１、４２）が有するカセット情報を取得する取得部（２４）と、カセット情報とカセット関連情報（ＩＤ０００１、ＩＤ０００２）とを照合して適正であるか否かを判定する判定部（２５）と、判定部（２５）によってカセット情報とカセット関連情報（ＩＤ０００１、ＩＤ０００２）とが適正でないと判定された場合、通知を行う通知部（２６）と、を備える、紙幣処理ユニット（１）
【符号の説明】
【００９５】
１…紙幣処理ユニット
５…入金カセット（紙幣収納カセット）
２１…記憶部
２３…検出部（カセット検出部）
２４…取得部
２５…判定部
２６…通知部
４１…出金カセット（紙幣収納カセット）
４２…出金カセット（紙幣収納カセット）
１１１…収納空間（第１収納空間）
１１２…収納空間（第２収納空間）
ＩＤ０００１…カセット関連情報
ＩＤ０００２…カセット関連情報
【図１】
2019139635.tif 000003
【図２】
2019139635.tif 000004
【図３】
2019139635.tif 000005
【図４】
2019139635.tif 000006
【図５】
2019139635.tif 000007
【図６】
2019139635.tif 000008